(57)【要約】【課題】不要と思われる自動録画設定を装置側で特定し、ユーザ側に通知して変更や削除を促したり、自動的に録画優先度を決めて、録画優先度の低いものは自動的に録画しないようにする。【解決手段】記録再生装置１０は、ユーザが興味のある番組を番組表から絞り込むための条件が設定できる条件設定手段２５ａと、条件設定手段２５ａにより設定された条件で番組表から番組を絞り込む番組絞り込み手段２５ｂと、絞り込み条件に合わせて自動記録の条件設定ができる記録条件設定手段２５ｃと、番組絞り込み手段２５ｂにより絞り込まれた番組を、条件設定に従って自動的に記録予約する記録予約手段２５ｄと、記録予約手段２５ｄにより予約された番組を記録する記録手段Ｍと、自動記録設定毎に記録手段Ｍにより自動記録された番組数と、この自動記録された番組をユーザが視聴した数に応じて、視聴消化率Ｘを算出する視聴消化率算出部２６を備える。【選択図】  図１
2008306278.tif 000002
【特許請求の範囲】
【請求項１】
ユーザが興味のある番組を番組表から絞り込むための条件が設定できる条件設定手段と、
前記条件設定手段により設定された条件で番組表から番組を絞り込む番組絞り込み手段と、
前記絞り込み条件と合わせて自動記録の条件設定ができる記録条件設定手段と、
前記番組絞り込み手段により絞り込まれた番組を、前記条件設定に従って自動的に記録予約する記録予約手段と、
前記記録予約手段により予約された番組を記録する記録手段と、
前記自動記録設定毎に前記記録手段により自動記録された番組数と、この自動記録された番組をユーザが視聴した数に応じて、視聴消化率を算出する視聴消化率算出部と、を具備したことを特徴とする記録再生装置。
【請求項２】
前記視聴消化率算出部で算出された視聴消化率を、前記自動記録設定毎に数値，絵文字（アイコン）および色付けの少なくともいずれか１つを表示できるようにしたことを特徴とする請求項１記載の記録再生装置。
【請求項３】
前記視聴消化率算出部で算出された視聴消化率を、前記自動記録設定およびこの設定に付随する情報を並べ替える基準に使用することができるようにしたことを特徴とする請求項１記載の記録再生装置。
【請求項４】
前記視聴消化率算出部で算出された視聴消化率が、予め決められた閾値を下回るような自動記録設定が存在する場合に、注意事項を表示する画面表示手段と、
前記注意事項の表示画面から、前記自動記録設定の設定画面に遷移する画面表示遷移手段を備えたことを特徴とする請求項１記載の記録再生装置。
【請求項５】
前記視聴消化率算出部で算出された視聴消化率が、予め決められた閾値を下回るような自動記録設定が存在する場合に、自動的に前記自動記録設定を解除する記録設定解除手段を備えたことを特徴とする請求項１記載の記録再生装置。
【請求項６】
前記視聴消化率算出部で算出された視聴消化率が、予め決められた閾値を下回るような自動記録設定が存在する場合に、自動的に前記自動記録設定の内、記録時間を変更する記録時間変更手段を備えたことを特徴とする請求項１記載の記録再生装置。
【請求項７】
前記視聴消化率算出部は、自動記録番組数の当日からｎ（１，２，３‥）日前までの移動平均値を分母に持ち、自動記録された番組を視聴した数の当日からｎ日前までの移動平均値を分子に持つ視聴消化率を算出可能な算出機能を備えたことを特徴とする請求項１記載の記録再生装置。
【請求項８】
ユーザが興味のある番組を番組表から絞り込むための条件を設定するステップと、
前記設定された条件で番組表から番組を絞り込むステップと、
前記絞り込まれた条件に合わせて自動記録の条件設定をするステップと、
前記絞り込まれた番組を、前記条件設定に従って自動的に記録予約するステップと、
前記記録予約した番組を記録するステップと、
前記自動記録設定毎に自動記録された番組数と、この自動記録された番組をユーザが視聴した数に応じて、視聴消化率を算出するステップと、を具備することを特徴とする記録再生方法。
【請求項９】
前記視聴消化率を、前記自動記録設定毎に数値，絵文字（アイコン）および色付けの少なくともいずれか１つを表示することを特徴とする請求項９記載の記録再生方法。
【請求項１０】
前記視聴消化率を、前記自動記録設定およびこの設定に付随する情報を並べ替える基準に使用することができるようすることを特徴とする請求項９記載の記録再生方法。
【請求項１１】
前記視聴消化率算出部で算出された視聴消化率が、予め決められた閾値を下回るような自動記録設定が存在する場合に、注意事項を画面表示するステップと、
前記注意事項の表示画面から、前記自動記録設定の設定画面に遷移するステップとを含むことを特徴とする請求項９記載の記録再生方法。
【請求項１２】
前記視聴消化率が、予め決められた閾値を下回るような自動記録設定が存在する場合に、自動的に前記自動記録設定を解除するステップを含むことを特徴とする請求項９記載の記録再生方法。
【請求項１３】
前記視聴消化率が、予め決められた閾値を下回るような自動記録設定が存在する場合に、自動的に前記自動記録設定の内、記録時間を変更するステップを含むことを特徴とする請求項９記載の記録再生方法。
【請求項１４】
前記自動記録された番組数の当日からｎ（１，２，３‥）日前までの移動平均値を分母に持ち、自動記録された番組を視聴した数の当日からｎ日前までの移動平均値を分子に持つ視聴消化率を算出するステップを含むことを特徴とする請求項９記載の記録再生方法。
【発明の詳細な説明】
【技術分野】
【０００１】
この発明は、ユーザにとって不要な自動録画をユーザに通知することを可能とする装置および方法に係るもので、特に放送予定の番組表の中からユーザの指定した条件に合致する番組を自動的に録画・蓄積し、再生可能な記録再生装置および記録再生方法に関する。
【背景技術】
【０００２】
従来、この種のＤＶＤレコーダ等の記録再生装置には、特定のタレントが出演したり、特定のジャンル（洋画ライブ等）であるなどの条件に合致した放送番組群を一括して録画指定できるように、キーワード・ジャンル指定自動録画予約機能を備えたものがある。このキーワード・ジャンル指定自動録画予約機能には、番組終了に伴う繰り返し録画予約キャンセルが可能であり、番組の特定された時間や回数をカウントして以後の番組をキャンセルすることができるようにしたものが普及しており、ユーザ自らが前以て、番組の時間や回数を特定して入力したり、あるいは、キーワード・ジャンル指定して行なうようになっている。
【０００３】
例えば、この種装置として、例えば特許文献１には、図１０に示すように、毎週又は毎日同一時間帯に、同一チャンネルで放送される複数の番組を繰り返しタイマー録画させる番組信号記録装置であり、前記放送される複数の番組に係る映像音声情報及び番組情報を受信する受信部１と、この受信部１で受信した映像音声情報を記録媒体に記録する記録再生部２と、受信部１で受信した番組情報を抽出して出力する番組情報抽出部３と、番組をタイマー録画させるための記録画予約情報を生成する制御部４と、前記複数の番組を繰り返し録画すべく生成した録画予約情報を保持する録画予約情報保持部５と、ユーザの指示を入力するためのユーザインターフェース（ユーザＩＦ）６と、記録再生部２が出力する番組信号にオンスクリー情報を重畳して出力したり、記録再生部２が出力する番組信号に代わって画面情報を出力する画面表示部７とを備えている。
【０００４】
受信部１は、所定時間帯の放送信号に重畳して伝送される番組情報を、制御部４の指示に従い定期的に受信し、録画予約情報保持部５はこのようにして受信した最新の番組情報を保持し、放送される各番組のタイトル、開始終了日時、放送チャンネル、概要等が含まれており、更に番組の最終回を識別する文字情報またはフラグ等の識別情報を含むことができる。また、この番組情報は、一週間先までの全放送番組に対して送信されており、本番組信号記録装置は、１日に数回程度の頻度で最新の番組情報を取得し、録画予約情報保持部５内の番組情報を更新することができるようになっている。
【０００５】
従って、受信部１で受信した番組情報に基づき、繰り返し録画すべく番組が最終回であるか否かを判別し、最終回であると判定された際には、最終回の映像音声情報を前記記録部２で記録した後に前記録画予約情報保持部５で保持している前記録画予約情報を消去することができるものである。
【特許文献１】特開２００３−３２５９２号公報
【発明の開示】
【発明が解決しようとする課題】
【０００６】
しかしながら、実際のユーザの利用シーンでは、自動録画の設定をして自動録画をするようにしたものの、設定時の思いや、視聴の許容時間的な関係から、興味・視聴時間・視聴モチベーションが漸減して、視聴消化ができず、無用に制御部４に備えられる録画の記憶部の記憶容量を圧迫するだけであったり、自動録画設定を変更・削除するにもついつい自動録画の変更・削除のタイミングを外してしまったりすることがある。
【０００７】
そうすると、無駄な、不要な録画が存在し、相当の記憶容量を占めるようになると、記録再生装置としての利便性の低下を招くようになる。また、ユーザ側の立場に立ってみると、記録再生装置の取り扱い時に、並行してこのような無駄な、不要な録画が容易に且つ合理的に削除できればユーザとして極めて便利なものとなる。
【０００８】
本発明は、以上の点に鑑みてなされたもので、不要と思われる自動録画設定を装置側で特定し、ユーザ側に通知して変更や削除を促したり、自動的に録画優先度を決めて、録画優先度の低いものは自動的に録画しないようにする記録再生装置および記録再生方法を提供することを目的とする。
【課題を解決するための手段】
【０００９】
上記目的を達成するために、本発明によれば、ユーザが興味のある番組を番組表から絞り込むための条件が設定できる条件設定手段と、前記条件設定手段により設定された条件で番組表から番組を絞り込む番組絞り込み手段と、前記絞り込み条件に合わせて自動記録の条件設定ができる記録条件設定手段と、前記番組絞り込み手段により絞り込まれた番組を、前記条件設定に従って自動的に記録予約する記録予約手段と、前記記録予約手段により予約された番組を記録する記録手段と、前記自動記録毎に前記記録手段により自動記録された番組数と、この自動記録された番組をユーザが視聴した数に応じて、視聴消化率を算出する視聴消化率算出部と、を具備したことを特徴とする記録再生装置を提供する。
【００１０】
上記目的を達成するために、本発明によれば、ユーザが興味のある番組を番組表から絞り込むための条件を設定するステップと、前記設定された条件で番組表から番組を絞り込むステップと、前記絞り込まれた条件に合わせて自動記録の条件設定をするステップと、前記絞り込まれた番組を、前記条件設定に従って自動的に記録予約するステップと、前記記録予約した番組を記録するステップと、前記自動記録毎に自動記録された番組数と、この自動記録された番組をユーザが視聴した数に応じて、視聴消化率を算出するステップと、を具備することを特徴とする記録再生方法を提供する。
【発明の効果】
【００１１】
本発明によれば、不要と思われる自動録画設定を装置側で特定し、ユーザ側に通知して変更や削除を促したり、自動的に録画優先度を決めて、録画優先度の低いものは自動的に録画しないようにする記録再生装置および記録再生方法を提供することができる。
【発明を実施するための最良の形態】
【００１２】
本発明の記録再生装置に係る実施形態について、添付図面を参照して説明する。
【００１３】
図１は、本発明の記録再生装置の概要を示すブロック構成図である。
【００１４】
図１に示す記録再生装置１０は、記録情報媒体として、例えば２種類のディスクドライブ部を有した記録装置Ｍが設けられる。記録装置Ｍは、ビデオファイルを構築できる情報記録媒体である第１のメディアとしての光ディスク（ＤＶＤ−ＲＡＭ、ＤＶＤ−ＲＷ、またはＤＶＤ−Ｒ）ｍ１を回転駆動し、情報の読み書きを実行するディスクドライブ部ｍ２を有する。また、第２のメディアとしてのハードディスク（ＨＤＤ）を駆動するＨＤＤ部ｍ３を有する。データプロセッサ（D-PRO）部ｍ４は、ディスクドライブ部ｍ２及びＨＤＤ部ｍ３に記録データを供給することができ、また、再生された信号を受け取ることができる。
【００１５】
ディスクドライブ部ｍ２は、光ディスクｍ１に対する回転制御系、レーザ駆動系、光学系などを有する。データプロセッサ部ｍ４は、記録または再生単位のデータを取り扱うもので、バッファ回路、変調・復調回路、エラー訂正部などを含む。
【００１６】
また、図１に示す記録再生装置１０は、録画側を構成するエンコーダ部１１と、再生側を構成するデコーダ部１２と、装置本体の動作を制御する（マイクロ）コンピュータブロック１３とを主たる構成要素としている。
【００１７】
エンコーダ部１１は、トランスポートストリーム処理部および複数のエンコーダを含む。エンコーダ部１１は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含んでいる。
【００１８】
エンコーダ部１１からのエンコード出力は、バッファメモリを含むフォーマッタ１４にて所定のＤＶＤ−ＲＡＭ（random access memory）のフォーマットに変換され、先のデータプロセッサ部ｍ４に供給される。なお、トランスポートストリームから抽出したパケットエレメンターストリームが、エンコーダ部１１から直接ＨＤＤ部ｍ３のハードディスクに記憶される場合もある。
【００１９】
エンコーダ部１１には、スイッチ１５を介して、Ａ／Ｖ（audio/video）入力部１６から得られる外部アナログビデオ信号と外部アナログオーディオ信号とを入力することができる。また、エンコーダ部１１には、各種チューナ群１７からスイッチ１５を介して、地上波アナログチューナ１７ａ、地上波デジタルチューナ１７ｂ、衛星ＢＳ（broadcasting satellite）／ＣＳ（communication satellite）チューナ１７ｃ、衛星アナログチューナ１７ｄからの受信信号を選択的に入力することができる。そして、エンコーダ部１１で複数のエンコーダが活用される場合、地上波デジタルチューナ１７ｂで受信した番組をＨＤＤ部ｍ３で録画し、同時に、衛星ＢＳ／ＣＳチューナ１７ｃで受信した番組を視聴することも可能である。
【００２０】
なお、エンコーダ部１１は、圧縮されたデジタルビデオ信号やデジタルオーディオ信号が直接入力されるときは、圧縮デジタルビデオ信号やデジタルオーディオ信号を直接フォーマッタ１４に供給することもできる。また、エンコーダ部１１は、アナログデジタル変換されたデジタルビデオ信号やオーディオ信号を、後述するビデオ（V）ミキシング部３２やオーディオセレクタ３６に直接供給することもできる。
【００２１】
エンコーダ部１１に含まれるＭＰＥＧ（Moving Picture Expert Group）ビデオエンコーダでは、デジタルビデオ信号はＭＰＥＧ２またはＭＰＥＧ１規格に基づいた可変ビットレートで圧縮されたデジタルビデオ信号に変換される。
【００２２】
デジタルオーディオ信号は、ＭＰＥＧまたはＡＣ（Audio Compression）−３規格に基づいて固定ビットレートで圧縮されたデジタルオーディオ信号、あるいはリニアＰＣＭ（Pulse Code Modulation）のデジタルオーディオ信号に変換される。
【００２３】
副映像信号がＡ／Ｖ入力部１６から入力された場合（例えば副映像信号の独立出力端子付ＤＶＤビデオプレーヤからの信号等）、または、このようなデータ構成のＤＶＤビデオ信号が放送されて、それが図示しないＴＶ（Television）チューナ部で受信された場合は、ＤＶＤビデオ信号中の副映像信号が副映像エンコーダでエンコード（ランレングス符号化）されて副映像のビットマップとなる。
【００２４】
エンコードされたデジタルビデオ信号、デジタルオーディオ信号、副映像データは、フォーマッタ１４にてパック化され、ビデオパック、オーディオパック、副映像パックとなり、さらに、これらが集合してＤＶＤ−ビデオ規格で規定されたフォーマット（ＤＶＤ Ｖｉｄｅｏフォーマット）や、ＤＶＤ−レコーディング規格で規定されたフォーマット（ＤＶＤ ＶＲフォーマット）に変換される。フォーマッタ１４は、上記の変換処理のときに、バッファメモリも利用している。
【００２５】
図１に示す記録再生装置１０は、フォーマッタ１４でフォーマット化された情報（ビデオ、オーディオ、副映像データ等のパック）及び作成された管理情報を、データプロセッサ部ｍ４を介してＨＤＤ部ｍ３またはディスクドライブ部ｍ２に供給し、ハードディスクまたは光ディスクｍ１に記録することができる。
【００２６】
また、ハードディスクまたは光ディスクｍ１に記録された情報を、データプロセッサ部ｍ４、ディスクドライブ部ｍ２を介して光ディスクｍ１またはハードディスクに記録することもできる。さらに、ハードディスクまたは光ディスクｍ１に記録されている複数番組のビデオオブジェクトを一部削除したり、異なる番組のオブジェクトをつなげたり、といった編集処理を行なうこともできる。
【００２７】
コンピュータブロック１３は、ＭＰＵ（Micro Processor Unit）と、ＣＰＵ（Central Processing Unit）と、制御プログラム等が書き込まれたＲＯＭ（Read Only Memory）と、プログラム実行に必要なワークエリアを提供するためのＲＡＭとを含んでいる（何れも図示せず）。コンピュータブロック１３は、ネットワークＩ／Ｆ（Inter Face）２０を介して、外部ネットワークに接続することが可能である。これにより、外部のサーバから電子番組案内情報（ＤＥＰＧ：Dynamic Electronic Program Guide）を取り込むことも可能である。
【００２８】
さらに、コンピュータブロック１３のＭＰＵは、そのＲＯＭに格納された制御プログラムに従い、ＲＡＭをワークエリアとして用いて、欠陥場所検出、未記録領域検出、録画情報記録位置設定、ＵＤＦ（Universal Disk Format）記録、ＡＶアドレス設定等を実行する。
【００２９】
また、コンピュータブロック１３は、記録再生装置の各ブロックを統括して制御するために必要な各種の情報処理部を有する。この情報処理部としては、ワークＲＡＭ２１およびディレクトリ検出部２２の他に、図示しないが、ＶＧＭ（Video Manager）情報（全体のビデオ管理情報）作成部、コピー関連情報検知部、コピーおよびスクランブリング情報（ＲＤＩ）処理部、パケットヘッダ処理部、シーケンスヘッダ処理部、アスベスト比情報処理部等を備える。
【００３０】
さらに、コンピュータブロック１３は、編集を実行する際の管理情報の制御部である編集時管理情報制御部２３と、録画を実行する際の管理情報の制御部である録画時管理情報制御部２４とを備えている。また、コンピュータブロック１３には、自動録画設定管理部２５、視聴消化率算出部２６およびＧＵＩ（Graphical User Interface）画面制御部２７が設けられている。
【００３１】
自動録画設定管理部２５には、ユーザが興味のある番組を番組表から絞り込むための条件が設定できる条件設定手段２５ａと、この条件設定手段２５ａにより設定された条件で番組表から番組を絞り込む番組絞り込み手段２５ｂと、番組絞り込み条件に合わせて自動記録の条件設定ができる記録条件設定手段２５ｃと、番組絞り込み手段２５ｂにより絞り込まれた番組を、条件設定に従って自動的に記録予約する記録予約手段２５ｄがそれぞれ設けられる。
【００３２】
自動録画設定管理部２５は、録画設定をするにあたり、ユーザが自動録画の設定を行なうに際して、図２に示すように、番組を絞り込むための条件と、絞り込んだ番組を録画するための条件を設定する「おまかせ自動録画設定」の画面例Ｇ１が表示される。
【００３３】
条件設定手段２５ａは、画面例Ｇ１により番組を絞り込むための選別要素、例えば「キーワード」、「放送時間帯」、「放送チャンネル」、「再放送種別」および「ジャンル」その他の多岐に亘った要素から条件設定することができる。
【００３４】
番組絞り込み手段２５ｂは、条件設定手段２５ａにて条件設定された、例えばサッカーの試合の関わる番組から、特定チームの試合に限定した「キーワード」を選別要素に指定し、番組の絞り込みを実行することができる。また、具体的には、その他の録画条件として、１日あたりの最大録画時間（０／１／３／６時間），録画優先度，録画品質，記録先フォルダ等を指定することができる。ユーザは、このような自動録画設定を任意の個数（例えば１２個）設定することができる。
【００３５】
「キーワード」については、ＡＮＤ検索，ＯＲ検索およびＮＯＴ検索を任意に選択設定できる。例えば図２の画面例Ｇ１に示すように、「Ｌ'arc en ciel」または「Ｌ'ａｒｃ  ｅｎ  ｃｉｅｌ」を含み「ラルク」を含まない。というように指定することができる。  
「放送時間帯」については、「17時台〜23時台」というように指定することができる。  「放送チャンネル」については、「031 ＣＣＮＳチャンネル」というように指定することができる。  
「再放送種別」については、「含む」というように指定することができる。  
「ジャンル」については、「01 国内ロック・ポップス」というように指定することができる。
【００３６】
記録条件設定手段２５ｃは、番組絞り込み手段２５ｂによる絞り込み条件に合致した番組の中から、自動記録の条件設定をする機能を有する。例えば図２に示すように、自動録画を１２０分に設定することができる。また、番組を追っかけて録画するように設定することができる。さらには、記録装置Ｍの容量不足の際には、自動削除する機能を有する。
【００３７】
記録予約手段２５ｄは、番組絞り込み手段２５ｂによる絞り込まれた番組を、条件設定に従って自動的に記録予約する機能を有する。
【００３８】
記録手段Ｍへは、そのディスクドライブ部ｍ２、ＨＤＤ部ｍ３およびデータプロセッサ部ｍ４の何れかの記録手段へ、記録予約手段２５ｄにより予約された番組が記録される。
【００３９】
視聴消化率算出部２６には、記録予約手段２５ｄにより予約された番組を記録手段Ｍにより自動記録された番組数と、この自動記録された番組をユーザが視聴した数に応じて、視聴消化率Ｘ（図３参照）を算出する視聴消化率算出手段２６ａを備えている。
【００４０】
図３は、自動録画設定の視聴消化率の日変化の状況の一例を示すグラフである。
【００４１】
視聴消化率算出手段２６ａは、図３に示すように、例えば２００７年２月１日〜２００７年２月２８日までの１ヶ月間における録画数ｘ１、視聴数ｘ２、最近の録画数ｘ３、最近の視聴数ｘ４がカウントされ、また、これらのデータに基づいた視聴消化率Ｘが算出されるようになっている。
【００４２】
録画数ｘ１は、ある自動録画設定における１日あたりの録画数である。  
視聴数ｘ２は、録画数ｘ１と同様に、ある自動録画設定における１日あたりの視聴数である。  
最近の録画数ｘ３は、録画数ｘ１の例えば過去７日間の移動平均である。  
最近の視聴数ｘ４は、最近の録画数ｘ３と同様に、視聴数ｘ２の例えば過去７日間の移動平均である。  
視聴消化率Ｘは、例えば最近の視聴数ｘ４を最近の録画数ｘ３で除して求められる。
【００４３】
そして、これらのデータを用いて、図４に示すように、「おまかせ自動録画設定一覧」として、例えば１２個の自動録画設定の内、１個目から６個目の６個を一覧表示している。
【００４４】
図４は、記録再生装置１０における自動録画設定の一覧表示画面例Ｇ２を示す図である。図４に示す画面例Ｇ２には、各自動録画設定の覧に、設定済みの絞り込み条件と録画条件のあらましと併せて、算出済みの視聴消化率Ｘを数値として表示している。
【００４５】
この図４に示す一覧表示画面例Ｇ２では、自動録画設定を設定番号順に並べて表示しているが、ユーザの操作に応じて、視聴消化率Ｘ順に並べて表示することもできる。また、表示の中には、視聴消化率Ｘの大小に応じて、絵文字（アイコン）として表示してもよい。具体的には、視聴消化率Ｘの数値が０から１であるとき、視聴消化率Ｘが０から０．３であれば王冠アイコンを１個、０．３から０．６であれば王冠アイコンを２個、０．６から１．０であれば王冠アイコン３個を表示することもできる。更には、数値やアイコンでなくても、視聴消化率Ｘの大小に応じて、各自動録画設定覧の背景色を決定してもよい。
【００４６】
図５は、記録再生装置１０における記録済番組の一覧表示画面例Ｇ３を示す図である。この画面例Ｇ３では、自動録画による記録済み番組を、自動録画設定毎に縦のグループにまとめて表示する。各自動録画グループを視聴消化率順に左から並べる。例えば、自動録画設定５の縦列に、番組５ａ、５ｂというように記録順に上から並べる。これは、ユーザの操作に応じて、降順と昇順を切り替えて表示することができる。一方、横列には、視聴消化率の高い順に、自動録画設定番号５，７‥２というように並べる。
【００４７】
更に、視聴消化率算出部２６は、図６に示すように、注意画面を表示することができる。
【００４８】
図６は、記録再生装置１０における視聴消化率Ｘが閾値を下回るような自動録画設定が存在する場合に、ユーザに対する注意画面例Ｇ４を示す図である。
【００４９】
図６に示す画面例Ｇ４には、視聴消化率Ｘが予め決められた閾値を下回るような自動録画設定が存在する場合に、ユーザに対する注意画面を表示した例である。注意画面を表示する条件としては、例えば「視聴消化率Ｘが０．１を下回っている自動録画設定が存在すること」かつ、「前回注意画面を表示してから１０日以上経っていること」などとする。注意画面が表示されているとき、ユーザ操作により「はい」が選択された場合は、図４の自動録画設定一覧表示画面に遷移し、最も視聴消化率Ｘが小さい自動録画設定にカーソルがフォーカスされた状態とする。注意画面が表示されているとき、ユーザ操作により「いいえ」が選択された場合は、注意画面を消去する。
【００５０】
図７は、記録再生装置１０における視聴消化率Ｘが閾値を下回るような自動録画設定が存在する場合に、自動録画設定を解除したことを表示する画面例を示す図である。
【００５１】
自動解除の条件としては、例えば「自動録画設定の０．１を下回っていること」かつ、「初期設定画面におけるユーザの事前了承があること」などとする。
【００５２】
同様に、図８もユーザに対する注意画面Ｇ６を表示した例である。図８は、記録再生装置１０における視聴消化率Ｘが閾値を下回るような自動録画設定が存在する場合に、自動録画設定を変更したことを表示する画面例を示す図である。
【００５３】
自動変更の条件としては、図７のユーザに対する注意画面Ｇ５を表示した例と同様に、例えば「自動録画設定の０．１を下回っていること」かつ、「初期設定画面におけるユーザの事前了承があること」などとする。自動変更の内容は、１日あたり最大録画時間を小さくすることの他に、１日あたり最大録画件数を小さくすることができる。更に、録画優先度を低くすることを要件にしてもよい。
【００５４】
なお、視聴消化率Ｘの算出方法は、図３に示すように、録画数ｘ１、視聴数ｘ２、最近の録画数ｘ３、最近の視聴数ｘ４およびこれらのデータに基づく視聴消化率Ｘが算出されるようになっている。
【００５５】
図３のグラフは、視聴消化率算出部２６により算出されるデータを示しており、モニタ２９都度表示されるものではないが、モニタ２９に表示しても差し支えない。
【００５６】
図３に示す視聴消化率Ｘは、例えば次［式１］のように定義する。  
［式１］
視聴消化率Ｘ＝最近の視聴数（ｓ，ｄ）／最近の録画数（ｓ，ｄ）
ただし、ｓ：自動録画設定番号（１〜１２）
ｄ：日付
最近視聴数：視聴数の過去ｎ（＝例えば７）日間の移動平均
最近録画数：録画数の過去ｎ（＝例えば７）日間の移動平均
【００５７】
図３に示すように、日毎の録画数および視聴数を、例えば青色と臙脂色の棒グラフで示し、それぞれの７日間の移動平均を「最近録画数」、「最近視聴数」として、例えば黄色と水色の線グラフで示している。「最近視聴数」を「最近録画数」で割った値を「視聴消化率Ｘ」として、例えば紫色で線グラフに表している。上記定義の他にも、個々の自動録画設定によらない全体の視聴消化率を別途算出し、この値で正規化してもよい。
【００５８】
上述したように、コンピュータブロック１３の実行結果の内、ユーザに通知すべき内容は、記録再生装置１０の表示部２８に表示されるか、または、モニターディスプレイ２９にＯＳＤ（on Screen Display）表示される。
【００５９】
また、コンピュータブロック１３は、この記録再生装置１０を操作するための操作信号を与えるキー操作入力部３０を有する。このキー操作入力部３０は、例えば記録再生装置１０の本体上に設けた操作スイッチ類やリモートコントローラ（図示せず）等に相当する。また、記録再生装置１０と有線通信または無線通信（光通信や赤外線通信等）通信手段を用いて接続されたＰＣ（Personal Computer）であってもよい。いずれの形態であっても、ユーザがこのキー操作入力部３０を操作することにより、入力された映像音声信号の録画処理や、録画されたコンテンツの再生処理、または録画されたコンテンツに対する編集処理等を施すことができる。
【００６０】
なお、コンピュータブロック１３が、ディスクドライブ部ｍ２、するＨＤＤ部ｍ３、データプロセッサ部ｍ４、エンコーダ部１１および／またはデコーダ部１２等を制御するタイミングは、ＳＴＣ（System Time Clock）３１からの時間データに基づいて実行することができる。録画や再生の動作は、通常はＳＴＣ３１からのタイムロックに同期して実行されるが、それ以外の処理はＳＴＣ３１とは独立したタイミングで実行されてもよい。
【００６１】
デコーダ部１２は、パック構造を持つＤＶＤフォーマットの信号から各パックを分離して取り出すセパレータと、パック分離やその他の信号処理実行時に使用するメモリと、セパレータで分離された主映像データ（ビデオパック内容）をデコードするＶ（Video）デコーダと、セパレータで分離された副映像データ（副映像パックの内容）をデコードするＳＰ（Sub Picture）デコーダと、セパレータで分離されたオーディオデータ（オーディオパックの内容）をデコードするＡ（Audio）デコーダとを有する。
【００６２】
また、デコードされた主映像に、デコードされた副映像を適宜合成し、主映像にメニュー、ハイライトボタン、字幕やその他の副映像を重ねて出力するビデオプロセッサを備えている。
【００６３】
デコーダ部１２の出力ビデオ信号は、ビデオミキシング部３２に入力される。ビデオミキシング部３２では、例えばテキストデータの合成が行なわれる。また、ビデオミキシング部３２には、ＴＶチューナ部やＡ／Ｖ入力部１６からの信号を直接取り込むラインも接続されている。
【００６４】
ビデオミキシング部３２には、バッファとして用いるフレームメモリ部３３が接続される。また、ビデオミキシング部３２の出力がアナログ出力の場合はＩ／Ｆ（Inter Face）３４を介して外部出力され、デシタル出力の場合は第１のデジタルアナログ変換器３５を介して外部へ出力される。
【００６５】
デコーダ部１２の出力オーディオ信号は、オーディオセレクタ３６を介して第２のデジタルアナログ（Ｄ／Ａ）変換器３７でアナログ変換され外部に出力される。オーディオセレクタ３６は、コンピュータブロック１３からのセレクト信号により制御される。これにより、オーディオセレクタ３６は、ＴＶチューナ部やＡ／Ｖ入力部１６からのデジタル信号を直接モニタするとき、エンコーダ部１１をスルーしたオーディオ信号を直接選択することも可能である。
【００６６】
なお、エンコーダ部１１のフォーマッタ１４では、録画中、各切り分け情報を作成し、定期的にコンピュータブロック１３のＭＰＵへ送る［ＧＯＰ（Group of Picture）先頭割り込み時等の情報］。
【００６７】
切り分け情報としては、ＶＯＢＵ（Video object Unit）のパック数、ＶＯＢＵ先頭からのＩ（Intra）ピクチャのエンドアドレス、ＶＯＢＵの再生時間等である。
【００６８】
同時に、図示しないアスペクト情報処理部からの情報が録画開始時にＭＰＵに送られ、ＭＰＵはＶＯＢ（Video object）ストリーム情報（ＳＴＩ；Stream Information）を作成する。ここで、ストリーム情報は、解像度データ、アスペクトデータ等を保存し、再生時に、各デコーダ部ではこの情報を元に初期設定が行なわれる。
【００６９】
また、記録再生装置１０では、ＤＶＤに記録するビデオファイルは、１ディスクに１ファイルとしている。さらに、データをアクセス（シーク）している間に、途切れないで再生を続けるために、最低限連続する情報単位（サイズ）を決めている。この単位は、ＣＤＡ（Contiguous Data Area）と称される。ＣＤＡサイズは、ＥＣＣ（Error Correcting Code）ブロック（１６セレクタ）の倍数であり、ファイルシステムではこのＣＤＡ単位で記録を行なっている。
【００７０】
データプロセッサ部ｍ４は、エンコーダ部１１のフォーマッタ１４からＶＯＢＵ単位のデータを受け取り、ＣＤＡ単位のデータをディスクドライブ部ｍ２あるいはＨＤＤ部ｍ３に供給している。
【００７１】
また、マイクロコンピュータブロック１３のＭＰＵは、記録したデータを再生するのに必要な管理情報を作成し、データ記録終了のコマンドを認識すると、作成した管理情報をデータプロセッサ部ｍ４に送る。
【００７２】
これにより、管理情報が光ディスクｍ１またはハードディスクに記録される。このため、エンコードが行なわれているとき、コンピュータブロック１３のＭＰＵは、エンコーダ部１１からデータ単位の情報（切り分け情報等）を受け取る。
【００７３】
さらに、コンピュータブロック１３のＭＰＵは、記録開始時に光ディスクｍ１およびハードディスクから読み取った管理情報（ファイルシステム）を認識して、各ディスクの未記録エリアを認識することにより、データプロセッサ部ｍ４を介してデータの記録エリアをディスクに設定している。
【００７４】
次に、本発明の記録再生装置における記録再生方法を図９を参照して説明する。
【００７５】
図９は、本発明の記録再生方法を実施するステップを示すフロー図である。
【００７６】
記録再生装置１０を作動状態にしてから記録再生方法を実施するステップについて説明する。
【００７７】
ユーザが興味のある番組を番組表から絞り込むための条件を設定する。すなわち、
画面例Ｇ１により番組を絞り込むための選別要素、例えば「キーワード」、「放送時間帯」、「放送チャンネル」、「再放送種別」および「ジャンル」その他の多岐に亘った要素から条件設定する。「キーワード」については、ＡＮＤ検索，ＯＲ検索およびＮＯＴ検索を任意に選択設定する＜ステップ１（ｓｔ１）＞。
【００７８】
そして、＜ステップ１（ｓｔ１）＞の絞り込み条件に合わせて自動記録の条件設定をする。すなわち、１日あたりの最大録画時間（０／１／３／６時間），録画優先度，録画品質，記録先フォルダ等を指定する＜ステップ２（ｓｔ２）＞。
【００７９】
続いて、＜ステップ１（ｓｔ１）＞で条件設定された要素がサッカーの試合であれば、その番組に関わる特定チームの試合に限定した、例えば「キーワード」を指定し、番組表から番組を絞り込む＜ステップ３（ｓｔ３）＞。
【００８０】
次に、＜ステップ３（ｓｔ３）＞により設定された自動記録の条件に合わせて、絞り込まれた番組を記録予約する＜ステップ４（ｓｔ４）＞。
【００８１】
そして、＜ステップ４（ｓｔ４）＞により記録予約した番組を記録する（記録装置Ｍに自動記録される）＜ステップ５（ｓｔ５）＞。
【００８２】
続いて、＜ステップ５（ｓｔ５）＞により番組の自動記録された番組数と、この自動記録された番組をユーザが視聴した数に応じて、視聴消化率を算出する（視聴消化率算出部２６により自動算出される）＜ステップ６（ｓｔ６）＞。
【００８３】
以上の＜ステップ１（ｓｔ１）＞〜＜ステップ６（ｓｔ６）＞を踏むことにより、ユーザ側にて不要と思われる自動録画設定を特定し、ユーザに知らしめて、自動録画設定の変更や解除を促したり、自動的に録画優先度を下げたりして、無駄な録画をしなくて済むようにすることができる。
【００８４】
なお、本発明の記録再生装置１０の実施形態によれば、自動録画設定管理部２５および視聴消化率算出部２６を、マイクロコンピュータブロック１３に一括して設けたが、必ずしもマイクロコンピュータブロック１３に設ける必要はなく、他のコンピュータ機能を有する演算装置に組み込んでもよい。また、記録再生装置１０専用のコンピュータ設けても差し支えない。
【００８５】
更には、記録再生装置１０の実施形態によれば、記録装置Ｍとして数種のものを、また、チューナとして各種チューナ１７ａ〜１７ｄを、更にはエンコーダ部１１およびデコーダ部１２等の構成部品を設けたが、必ずしも全てを設ける必要はない。
【００８６】
特に、近時の放送波のデジタル化やデジタル化対応の受像機の出現に伴い、エンコーダ部１１、デコーダ部１２、第１のデジタルアナログ変換器３５および第２のデジタルアナログ（Ｄ／Ａ）変換器３７等の機器については、その必要性がなくなる傾向にある。
【００８７】
従って、記録再生装置１０は、受像機に適用するにあたって、受像機の全体構成の中で、その機能を発揮させるに必要な機器で構成すればよいことは勿論である。
【図面の簡単な説明】
【００８８】
【図１】本発明の記録再生装置の概要を示すブロック構成図。
【図２】本発明の記録再生装置における自動録画設定を行なうための画面例を示す図。
【図３】自動録画設定の視聴消化率の日変化の状況の一例を示すグラフ。
【図４】本発明の記録再生装置における自動録画設定の一覧表示画面例を示す図。
【図５】本発明の記録再生装置における記録済番組の一覧表示画面例を示す図。
【図６】本発明の記録再生装置における視聴消化率が閾値を下回るような自動録画設定が存在する場合に、ユーザに対する注意画面例を示す図。
【図７】本発明の記録再生装置における視聴消化率が閾値を下回るような自動録画設定が存在する場合に、自動録画設定を解除したことを表示する画面例を示す図。
【図８】本発明の記録再生装置における視聴消化率が閾値を下回るような自動録画設定が存在する場合に、自動録画設定を変更したことを表示する画面例を示す図。
【図９】本発明の記録再生方法を実施するステップを示すフロー図。
【図１０】従来の記録再生装置の概要を示すブロック構成図。
【符号の説明】
【００８９】
１０  記録再生装置
１１  エンコーダ
１２  デコーダ部
１３  マイクロコンピュータブロック
１４  フォーマッタ
１５  スイッチ
１６  Ａ／Ｖ（audio/video）入力部
１７  チューナ群
１７ａ  地上波アナログチューナ
１７ｃ、衛星アナログチューナ１７ｄ
１７ｂ  地上波デジタルチューナ
１７ｃ  衛星ＢＳ（broadcasting satellite）／ＣＳ（communication satellite）チューナ
１７ｄ  衛星アナログチューナ
２０  ネットワークＩ／Ｆ（Inter Face）
２１  ワークＲＡＭ
２２  ディレクトリ検出部
２３  編集時管理情報制御部
２４  録画時管理情報制御部
２５  自動録画設定管理部
２５ａ  条件設定手段
２５ｂ  番組絞り込み手段
２５ｃ  記録条件設定手段
２５ｄ  記録予約手段
２６  視聴消化率算出部
２６ａ  視聴消化率算出手段
２７  ＧＵＩ（Graphical User Interface）画面制御部
２８  表示部
２９  モニターディスプレイ
３０  キー操作入力部
３１  ＳＴＣ（System Time Clock）
３２  ビデオミキシング部
３３  フレームメモリ部
３４  Ｉ／Ｆ（Inter Face）
３５  第１のデジタルアナログ変換器
３６  オーディオセレクタ
３７  第２のデジタルアナログ（Ｄ／Ａ）変換器
Ｇ１〜Ｇ４  画面例
Ｍ  記録装置
ｍ１  光ディスク（ＤＶＤ−ＲＡＭ、ＤＶＤ−ＲＷ、またはＤＶＤ−Ｒ）
ｍ２  ディスクドライブ部
ｍ３  ＨＤＤ部
ｍ４  データプロセッサ（D-PRO）部
Ｘ  視聴消化率
【図１】
2008306278.tif 000003
【図２】
2008306278.tif 000004
【図３】
2008306278.tif 000005
【図４】
2008306278.tif 000006
【図５】
2008306278.tif 000007
【図６】
2008306278.tif 000008
【図７】
2008306278.tif 000009
【図８】
2008306278.tif 000010
【図９】
2008306278.tif 000011
【図１０】
2008306278.tif 000012